(57)【要約】【課題】ディスプレイを縦置きと横置きのいずれにも配置することができると共に、いずれの場合でも空調性能を確保することができるインストルメントパネル構造を提供する。【解決手段】インストルメントパネル１０には縦長レジスタ２３、２４及び横長レジスタ２１、２２が設けられている。一方、空調装置２６用の兼用ダクト３４には、縦長レジスタ２３、２４及び横長レジスタ２１、２２と対向して縦長開口部８０、８２及び横長開口部８４が設けられている。兼用ダクト３４内の空気は、ディスプレイ１２が横置きのときは横長開口部８４が開放されて横長レジスタ２１、２２から吹き出し可能とされ、ディスプレイ１２が縦置きのときは縦長開口部８０、８２が開放されて縦長レジスタ２３、２４から吹き出し可能とされる。これにより、ディスプレイ１２を縦置きと横置きのいずれにも配置することができると共に、いずれの場合でも空調性能を確保することができる。【選択図】図３
2013154722.tif 000002
【特許請求の範囲】
【請求項１】
車室前部に設けられたインストルメントパネルの裏側に設けられ、車両幅方向に沿って延在されたインストルメントパネルリインフォースメントと、
前記インストルメントパネルリインフォースメントに固定された筒状の支持部材と、
前記支持部材の周方向に沿って回動可能に支持されると共に、前記インストルメントパネル上に配設される長方形状のディスプレイを支持するディスプレイシャフトと、
前記インストルメントパネルに設けられ、前記ディスプレイが縦長に配設されたときに当該ディスプレイの左側及び右側に露出する縦長レジスタと、
前記インストルメントパネルに設けられ、前記ディスプレイが横長に配設されたときに当該ディスプレイの下側又は上側に露出する横長レジスタと、
を有するインストルメントパネル構造。
【請求項２】
前記ディスプレイが縦長に配設されたときに前記横長レジスタが当該ディスプレイによって覆われ、前記ディスプレイが横長に配設されたときに前記縦長レジスタが当該ディスプレイによって覆われる請求項１に記載のインストルメントパネル構造。
【請求項３】
前記インストルメントパネルの裏側に設けられた空調装置に接続されると共に前記縦長レジスタ及び前記横長レジスタに接続され、当該空調装置によって温度調整された空気を当該縦長レジスタ及び横長レジスタへ案内する兼用ダクトを有する請求項１又は２に記載のインストルメントパネル構造。
【請求項４】
前記兼用ダクト内の空気が前記縦長レジスタ側又は前記横長レジスタ側へ選択的に案内されるように切り替える切り替え機構が設けられている請求項３に記載のインストルメントパネル構造。
【請求項５】
前記切り替え機構は、
前記兼用ダクト内に設けられ、当該兼用ダクト内の空気を前記縦長レジスタ側へ案内する流路を開閉する第１仕切板と、
前記兼用ダクト内に設けられ、当該兼用ダクト内の空気を前記横長レジスタ側へ案内する流路を開閉する第２仕切板と、
前記ディスプレイが縦長に配設されたときに前記第１仕切板が開放すると共に前記第２仕切板が閉止するように、また前記ディスプレイが横長に配設されたときに前記第１仕切板が閉止すると共に前記第２仕切板が開放するように、当該ディスプレイの回動力を前記第１仕切板及び第２仕切板に伝達する動力伝達部材と、
を含んで構成されている請求項４に記載のインストルメントパネル構造。
【請求項６】
前記動力伝達部材が、
前記ディスプレイシャフトの同軸上に固定され、当該ディスプレイシャフトと一体に回転する第１かさ歯車と、
前記第１かさ歯車に噛合され、当該第１かさ歯車を介して前記ディスプレイシャフトに付与された動力の伝達方向を変換させる第２かさ歯車と、
前記第２かさ歯車が固定された第１シャフトの同軸上に固定され、当該第１シャフトと一体に回転する第１平歯車と、
前記第１平歯車と噛合する第２平歯車が固定されると共に、前記第１仕切板及び第２仕切板が取り付けられた第２シャフトと、
を含んで構成されている請求項５に記載のインストルメントパネル構造。
【発明の詳細な説明】
【技術分野】
【０００１】
本発明は、インストルメントパネル構造に関する。
【背景技術】
【０００２】
特許文献１には、ディスプレイを縦置き又は横置きに変更できるように、当該ディスプレイが回動可能に支持された技術が開示されている。一方、特許文献２〜５には、センタレジスタについての技術が開示されている。
【先行技術文献】
【特許文献】
【０００３】
【特許文献１】特開平０８−０５３０３４号公報
【特許文献２】特開平０５−０４２２８５４号公報
【特許文献３】特開２００４−１１４８１６号公報
【特許文献４】特開２００４−２６８６６９号公報
【特許文献５】特開２００１−０６３４０４号公報
【発明の概要】
【発明が解決しようとする課題】
【０００４】
特許文献２〜５に記載の先行技術において、ディスプレイを横置きから縦置きにした場合、或いはその逆にした場合、センタレジスタの開口が塞がれる可能性があり、この場合、空調性能を悪化させてしまう。したがって、空調性能を確保しつつディスプレイを回動可能とするには、改善の余地がある。
【０００５】
本発明は、上記課題に鑑みてなされたものであって、ディスプレイを縦置きと横置きのいずれにも配置することができると共に、いずれの場合であっても空調性能を確保することができるインストルメントパネル構造を提供することを目的とする。
【課題を解決するための手段】
【０００６】
請求項１記載の発明に係るインストルメントパネル構造は、車室前部に設けられたインストルメントパネルの裏側に設けられ、車両幅方向に沿って延在されたインストルメントパネルリインフォースメントと、前記インストルメントパネルリインフォースメントに固定された筒状の支持部材と、前記支持部材の周方向に沿って回動可能に支持されると共に、前記インストルメントパネル上に配設される長方形状のディスプレイを支持するディスプレイシャフトと、前記インストルメントパネル上において、前記ディスプレイの左側及び右側に設けられ、当該ディスプレイが縦長に配設されたときに露出する縦長レジスタと、前記インストルメントパネル上において、前記ディスプレイの下側又は上側に設けられ、当該ディスプレイが横長に配設されたときに露出する横長レジスタと、を有している。
【０００７】
請求項１記載の発明に係るインストルメントパネル構造では、車室前部に設けられたインストルメントパネルの裏側には、車両幅方向に沿って延在されたインストルメントパネルリインフォースメントが設けられている。このインストルメントパネルリインフォースメントには、筒状の支持部材が固定されている。支持部材には当該支持部材の周方向に沿ってディスプレイシャフトが回動可能に支持されている。このディスプレイシャフトによって、インストルメントパネル上に配設される長方形状のディスプレイが支持される。このため、ディスプレイシャフトを介して、ディスプレイを回動させることができ、例えば、当該ディスプレイを横置き又は縦置きに変えることができる。
【０００８】
一方、インストルメントパネル上において、ディスプレイの左側及び右側には縦長レジスタが設けられ、ディスプレイの下側又は上側には横長レジスタが設けられている。そして、ディスプレイが縦長に配設されたときに縦長レジスタが露出し、ディスプレイが横長に配設されたときに横長レジスタが露出する。つまり、ディスプレイが縦長に配設されたときには縦長レジスタを利用することができ、ディスプレイが横長に配設されたときには横長レジスタを利用することができる。
【０００９】
請求項２記載の発明に係るインストルメントパネル構造は、請求項１に記載のインストルメントパネル構造において、前記ディスプレイが縦長に配設されたときに前記横長レジスタが当該ディスプレイによって覆われ、前記ディスプレイが横長に配設されたときに前記縦長レジスタが当該ディスプレイによって覆われる。
【００１０】
例えば、縦長レジスタ及び横長レジスタが、長方形状のディスプレイの回動によって当該ディスプレイにより覆われないようにする場合、ディスプレイの移動軌跡上に縦長レジスタ及び横長レジスタが配置されないようにする必要がある。このため、ディスプレイを中心に縦長レジスタ及び横長レジスタの配設領域が広くなってしまう。
【００１１】
これに対して、請求項２記載の発明に係るインストルメントパネル構造では、ディスプレイが縦長に配設されたときには、横長レジスタがディスプレイによって覆われるようにしている。また、ディスプレイが横長に配設されたときには、縦長レジスタがディスプレイによって覆われるようにしている。つまり、ディスプレイの向き（縦置き又は横置き）に合わせて、使用されないレジスタをディスプレイで覆うようにすることで、ディスプレイ、縦長レジスタ及び横長レジスタの配設領域をコンパクトにすることができる。
【００１２】
請求項３記載の発明に係るインストルメントパネル構造は、請求項１又は２に記載のインストルメントパネル構造において、前記インストルメントパネルの裏側に設けられた空調装置に接続されると共に前記縦長レジスタ及び前記横長レジスタに接続され、当該空調装置によって温度調整された空気を当該縦長レジスタ及び横長レジスタへ案内する兼用ダクトを有している。
【００１３】
請求項３記載の発明に係るインストルメントパネル構造では、インストルメントパネルの裏側に設けられた空調装置には兼用ダクトが接続されており、当該兼用ダクトが縦長レジスタ及び横長レジスタに接続されている。つまり、１つのダクト（兼用ダクト）を兼用して、空調装置と縦長レジスタ及び空調装置と横長レジスタとが接続されている。そして、この兼用ダクトによって、空調装置によって温度調整された空気が縦長レジスタ及び横長レジスタへ案内されるようになっている。
【００１４】
請求項４記載の発明に係るインストルメントパネル構造は、請求項３記載の発明に係るインストルメントパネル構造において、前記兼用ダクト内の空気が前記縦長レジスタ側又は前記横長レジスタ側へ選択的に案内されるように切り替える切り替え機構が設けられている。
【００１５】
請求項４記載の発明に係るインストルメントパネル構造では、兼用ダクト内の空気は切り替え機構によって、縦長レジスタ側又は横長レジスタ側へ選択的に案内される。このため、兼用ダクト内の空気は、ディスプレイが縦長に配設されたときには縦長レジスタへ案内され、ディスプレイが横長に配設されたときには横長レジスタへ案内される。
【００１６】
つまり、兼用ダクト内の空気は、ディスプレイが縦長に配設されたときには横長レジスタから吹き出されることはなく、ディスプレイが横長に配設されたときには縦長レジスタから吹き出されることはない。このように、ディスプレイの向き（縦置き又は横置き）に合わせて使用されるレジスタを特定することができる。
【００１７】
請求項５記載の発明に係るインストルメントパネル構造は、請求項４記載の発明に係るインストルメントパネル構造において、前記切り替え機構は、前記兼用ダクト内に設けられ、当該兼用ダクト内の空気を前記縦長レジスタ側へ案内する流路を開閉する第１仕切板と、前記兼用ダクト内に設けられ、当該兼用ダクト内の空気を前記横長レジスタ側へ案内する流路を開閉する第２仕切板と、前記ディスプレイが縦長に配設されたときに前記第１仕切板が開放すると共に前記第２仕切板が閉止するように、また前記ディスプレイが横長に配設されたときに前記第１仕切板が閉止すると共に前記第２仕切板が開放するように、当該ディスプレイの回動力を前記第１仕切板及び第２仕切板に伝達する動力伝達部材と、を含んで構成されている。
【００１８】
請求項５記載の発明に係るインストルメントパネル構造では、切り替え機構は第１仕切板、第２仕切板及び動力伝達部材を含んで構成されている。第１仕切板及び第２仕切板は兼用ダクト内に設けられており、第１仕切板は、兼用ダクト内の空気を縦長レジスタ側へ案内する流路を開閉する。一方、第２仕切板は、兼用ダクト内の空気を横長レジスタ側へ案内する流路を開閉する。
【００１９】
一方、動力伝達部材は、ディスプレイが縦長に配設されたときに、第１仕切板が開放すると共に第２仕切板が閉止するように当該ディスプレイの回動力を第１仕切板及び第２仕切板に伝達する。また、ディスプレイが横長に配設されたときに、第１仕切板が閉止すると共に第２仕切板が開放するように当該ディスプレイの回動力を第１仕切板及び第２仕切板に伝達する。
【００２０】
つまり、兼用ダクト内の空気は、ディスプレイが縦長に配設されたときは第１仕切板の開放によって縦長レジスタ側へ案内され、ディスプレイが横長に配設されたときは第２仕切板の開放によって横長レジスタ側へ案内されるようになっている。
【００２１】
請求項６記載の発明に係るインストルメントパネル構造は、請求項５記載の発明に係るインストルメントパネル構造において、前記動力伝達部材が、前記ディスプレイシャフトの同軸上に固定され、当該ディスプレイシャフトと一体に回転する第１かさ歯車と、前記第１かさ歯車に噛合され、当該第１かさ歯車を介して前記ディスプレイシャフトに付与された動力の伝達方向を変換させる第２かさ歯車と、前記第２かさ歯車が固定された第１シャフトの同軸上に固定され、当該第１シャフトと一体に回転する第１平歯車と、前記第１平歯車と噛合する第２平歯車が固定されると共に、前記第１仕切板及び第２仕切板が取り付けられた第２シャフトと、を含んで構成されている。
【００２２】
請求項６記載の発明に係るインストルメントパネル構造では、動力伝達部材が、ディスプレイシャフトの同軸上に固定され、当該ディスプレイシャフトと一体に回転する第１かさ歯車を備えている。この第１かさ歯車には第２かさ歯車が噛合されており、この第２かさ歯車によって、ディスプレイシャフトに付与された動力の伝達方向が変換される。また、第２かさ歯車は第１シャフトに固定されており、当該第１シャフトの同軸上には第１平歯車が固定され、当該第１シャフトと一体に回転する。。この第１平歯車と噛合する第２平歯車は第２シャフトに固定されており、当該第２シャフトに第１仕切板及び第２仕切板が取り付けられている。
【００２３】
以上のような構成により、ディスプレイを回動させると、ディスプレイと共にディスプレイシャフトが回動し、当該ディスプレイシャフトと一体に第１かさ歯車が回動する。これにより、第１かさ歯車と噛合する第２かさ歯車が回動して、当該第２かさ歯車と一体に第１シャフトが回動する。そして、第１シャフトの回動によって第１平歯車が回動し、当該第１平歯車と噛合する第２平歯車が回動する。これにより、第２シャフトが回動し、第１仕切板及び第２仕切板が兼用ダクト内の流路の一部をそれぞれ開閉し、空調装置によって温度調整された空気が縦長レジスタ又は横長レジスタへ案内される。
【発明の効果】
【００２４】
以上説明したように、請求項１記載の発明に係るインストルメントパネル構造は、ディスプレイを縦置きと横置きのいずれにも配置することができると共に、いずれの場合であっても空調性能を確保することができる、という優れた効果を有する。
【００２５】
請求項２記載の発明に係るインストルメントパネル構造は、使用されないレジスタをディスプレイで覆うようにすることで、ディスプレイ及びレジスタの配設領域をコンパクトにして、意匠性を向上させることができる、という優れた効果を有する。
【００２６】
請求項３記載の発明に係るインストルメントパネル構造は、空調装置と縦長レジスタ又は横長レジスタとを接続するダクトを１つのダクトで兼用することで、ダクト周りのスペースを有効に活用することができると共に、コストを低減させることができる、という優れた効果を有する。
【００２７】
請求項４記載の発明に係るインストルメントパネル構造は、ディスプレイの向きに合わせて使用されるレジスタを特定することで、兼用ダクト内の空気は、当該レジスタにおいて必要な空調性能を確保することができる、という優れた効果を有する。
【００２８】
請求項５記載の発明に係るインストルメントパネル構造は、簡単な構成で兼用ダクト内の空気を縦長レジスタ側又は横長レジスタ側へ選択的に案内することができる、という優れた効果を有する。
【００２９】
請求項６記載の発明に係るインストルメントパネル構造は、ディスプレイの回動動作に連動して第１仕切板及び第２仕切板によって兼用ダクト内の流路の一部をそれぞれ開閉させることができる、という優れた効果を有する。
【図面の簡単な説明】
【００３０】
【図１】本実施の形態に係るインストルメントパネル構造が適用されたインストルメントパネルを示す斜視図である。
【図２】図１の２−２線に沿って切断された状態を示す断面図である。
【図３】（Ａ）は、ディスプレイが横長に配置された状態を示す図１における要部拡大斜視図であり、（Ｂ）は、ディスプレイが縦長に配置された状態を示す図１における要部拡大斜視図である。
【図４】本実施の形態に係るインストルメントパネル構造の一部を構成するディスプレイ及びディスプレイシャフト等を示す分解側面図である。
【図５】図１の５−５線に沿って切断された状態を示す断面において要部を拡大した拡大断面図である。
【図６】本実施の形態に係るインストルメントパネル構造を構成する縦長レジスタ、横長レジスタ及び兼用ダクトを示す斜視図である。
【図７】本実施の形態に係るインストルメントパネル構造を構成する縦長レジスタ、横長レジスタ及び兼用ダクトを示す分解斜視図である。
【図８】兼用ダクト内の空間を仕切る仕切板及びシャフトの構成を示す分解斜視図である。
【図９】（Ａ）は仕切板及び仕切板に装着されるウレタンシール材を示す分解斜視図であり、（Ｂ）は仕切板にウレタンシール材が装着された状態を示す斜視図である。
【発明を実施するための形態】
【００３１】
以下、図面を参照しながら、本発明の一実施形態について説明する。なお、図中に適宜記す矢印ＦＲは車両前後方向の前方向を、矢印ＵＰは車両上下方向の上方向を、矢印Ｗは車両幅方向をそれぞれ示す。
【００３２】
（インストルメントパネル構造の構成）
図１には本実施の形態に係るインストルメントパネル構造が適用されたインストルメントパネル１０を車室内側から見た斜視図が示されており、図２には、図１の２−２線に沿って切断された断面図が示されている。
【００３３】
図１及び図２に示されるように、車室前部に設けられたインストルメントパネル１０は、図示しない左右のフロントピラー間に架け渡された（車両幅方向に沿って延在された）インストルメントパネルリインフォースメント１４（以下、「インパネリインフォース１４」という）に取り付けられており、空調装置２６等を車両上側から覆っている。なお、ここでは、インストルメントパネル１０の車幅方向左側にコンビネーションメータ１６が設けられており、この車両１１は左ハンドル仕様となっているが、右ハンドル仕様でも良い。
【００３４】
インストルメントパネル１０の車両幅方向両側には、サイドレジスタ１８、２０がそれぞれ設けられている。また、インストルメントパネル１０の車両幅方向中央部には、例えばナビゲーション情報や車両情報などが表示されるディスプレイ１２が配置されている。
【００３５】
そして、図３（Ａ）に示されるように、ディスプレイ１２が横長に配置されたときに、当該ディスプレイ１２の下方に位置して（露出して）、車両幅方向に沿って横長の矩形状に形成された横長レジスタ２１、２２が設けられている。また、図３（Ｂ）に示されるように、インストルメントパネル１０において、ディスプレイ１２が縦長に配置されたときに、当該ディスプレイ１２の左右に位置して（露出して）、車両上下方向に沿って縦長の矩形状に形成された縦長レジスタ２３、２４が設けられている。なお、縦長レジスタ２３、２４及び横長レジスタ２１、２２を、説明の便宜上、センターレジスタ２５という場合がある。
【００３６】
一方、図１及び図２に示されるように、空調装置２６には当該空調装置２６によって温度調整された空気を送出する送出口としてのセンターレジスタ用送出口２８とデフロスタ用送出口３０とが設けられている。デフロスタ用送出口３０にはデフロスタ３１と接続されるダクト３２が接続されており、当該ダクト３２を介してデフロスタ用送出口３０とデフロスタ３１とが接続されている。
【００３７】
また、センターレジスタ用送出口２８には兼用ダクト３４が接続されており、当該兼用ダクト３４が図３（Ａ）に示す縦長レジスタ２３、２４及び横長レジスタ２１、２２にそれぞれ接続されている。つまり、１つのダクトによって、センターレジスタ用送出口２８と縦長レジスタ２３、２４とが接続されると共に、当該センターレジスタ用送出口２８と横長レジスタ２１、２２とが接続されている。なお、サイドレジスタ１８、２０は、空調装置２６に設けられた図示しないサイドレジスタ用送出口に取り付けられたダクトを介して、当該サイドレジスタ用送出口と接続されている。
【００３８】
そして、図１に示されるように、ディスプレイ１２の下方には、空調操作部４４が設けられており、当該空調操作部４４には図示しない操作スイッチが設けられている。この操作スイッチによって、空調装置２６（図２参照）の温度や風量を設定したり、空気が送出されるレジスタの位置を特定したりすることができるようになっている。
【００３９】
ここで、図４には、図２で示すインストルメントパネル構造の要部の一部となる支持部材５２及びディスプレイシャフト５６等を示す分解側面図が示されている。図４に示されるように、インストルメントパネル１０の裏側に設けられたインパネリインフォース１４の車両幅方向の略中央部には、固定ブラケット５０が溶接等により固定されている。当該固定ブラケット５０には、筒状を成す金属製の支持部材５２が固定されており、支持部材５２の先端側（車両前後方向の後端側）には、摺動性及び耐摩耗性が高い樹脂で形成された円筒状の軸受部材５４が設けられている。
【００４０】
この軸受部材５４の内側には、円筒状を成す金属製のディスプレイシャフト５６の先端部（車両前後方向の前端部）が挿入されており、当該ディスプレイシャフト５６は、軸受部材５４を介して、支持部材５２の周方向に沿って回動可能に支持される。また、ディスプレイシャフト５６の後端側は、インストルメントパネル１０の車両幅方向の中央部に形成された貫通孔１０Ａ（図５参照）を貫通しており、当該ディスプレイシャフト５６の後端部には、ディスプレイ１２が取り付けられている。
【００４１】
つまり、ディスプレイ１２はディスプレイシャフト５６によって回動可能に支持されている。そして、図示はしないが、例えばディスプレイ１２側に設けられたロック機構によって、当該ディスプレイが所定の角度で回動停止するようになっている。なお、図５は、図１の５−５線に沿って切断された状態を示す断面において要部を拡大した拡大断面図である。
【００４２】
一方、図６にはセンターレジスタ２５及び兼用ダクト３４を背面側（車両前方側）から見た斜視図が示されている。図６に示されるように、例えば、センターレジスタ２５を構成する縦長レジスタ２３、２４及び横長レジスタ２１、２２は一体化されており、縦長レジスタ２３、２４と横長レジスタ２１、２２との間には区画壁５８が設けられている。
【００４３】
また、図７にはディスプレイ１２、センターレジスタ２５及び兼用ダクト３４を背面側から見た分解斜視図が示されている。図７に示されるように、ディスプレイ１２の中央部にはディスプレイシャフト５６が取り付けられており、当該ディスプレイシャフト５６には第１かさ歯車としてのかさ歯車６０がディスプレイシャフト５６の同軸上に固定されている。
【００４４】
また、縦長レジスタ２３及び縦長レジスタ２４には、車両幅方向に沿って第１シャフトとしてのシャフト６２が貫通しており、シャフト６２には第２かさ歯車としてのかさ歯車６４がシャフト６２の同軸上に固定されている。このかさ歯車６４がかさ歯車６０と噛合している。ここで、かさ歯車６０、６４は食い違い軸歯車であり、シャフト６２はディスプレイシャフト５６とは干渉しないようになっている。そして、このディスプレイシャフト５６における車両前後方向を軸とした回動力が、かさ歯車６０及びかさ歯車６４を介してシャフト６２へ伝達され、当該シャフト６２が車両幅方向を軸として回動する。
【００４５】
また、シャフト６２の両端部には、第１平歯車としての平歯車６６が固定されており、シャフト６２と共に回動可能とされている。この平歯車６６には当該平歯車６６よりも大径の第２平歯車としての平歯車６８が噛合されており、ディスプレイ１２の回動角度よりも小さい回動角度で平歯車６８が回動する。この平歯車６８は第２シャフトとしてのシャフト７０に固定されており、当該平歯車６８の回動によってシャフト７０が車両幅方向を軸として回動する。
【００４６】
このシャフト７０には、図８に示されるように、径方向へ張り出すキー部７０Ａがシャフト７０の軸線方向に沿って設けられている。一方、平歯車６８の軸芯には当該キー部７０Ａと嵌合するキー溝６８Ａが設けられている。当該キー溝６８Ａがキー部７０Ａと嵌合することで、平歯車６８がシャフト７０に対して周り止めされ、前述のように平歯車６８と共にシャフト７０が回動する。
【００４７】
ここで、シャフト７０の両端部には、第１仕切板としての縦長の仕切板７２、７４が、シャフト７０における同一軸線上に設けられている。また、シャフト７０の軸線方向の略全域に亘って第２仕切板としての横長の仕切板７６が、仕切板７２、７４とは所定の角度を成して設けられている。切り替え機構としてのこれらの仕切板７２、７４、７６には、シャフト７０が挿通可能な軸部７２Ａ、７４Ａ、７６Ａがそれぞれ設けられており、当該軸部７２Ａ、７４Ａ、７６Ａへシャフト７０が挿通された状態で、例えば熱カシメによって軸部７２Ａ、７４Ａ、７６Ａがシャフト７０に固定される。これにより、仕切板７２、７４、７６はシャフト７０と一体に車両幅方向を軸として回動する。
【００４８】
また、仕切板７２、７４、７６の先端部及び側端部には、例えば、図９（Ｂ）に示されるように、ウレタンシール材７８が設けられている。このウレタンシール材７８は正面視で矩形状を成しており、仕切板７２（仕切板７４、７６も同様）の長手方向および幅方向の寸法よりも長くなるように設定されている。
【００４９】
図９（Ａ）に示されるように、ウレタンシール材７８には、幅方向に沿ってスリット７８Ａが形成されており、当該スリット７８Ａが長手方向に沿って複数配列されている。このスリット７８Ａ内へ仕切板７２が挿入されている。つまり、ウレタンシール材７８に対して、仕切板７２の先端部がウレタンシール材７８の下部側から順番に、ウレタンシール材７８の表側から又は裏側から交互にスリット７８Ａ内へ挿入されている。これにより、仕切板７２に対してウレタンシール材７８が装着される。この状態で、仕切板７２の先端部及び側端部にはウレタンシール材７８が設けられることになる。
【００５０】
一方、図５に示されるように、兼用ダクト３４はインパネリインフォース１４の上方を回り込むようにしてセンターレジスタ２５と接続されるように配設されている。このため、兼用ダクト３４の先端側（車両前後方向の後端側）には、挿通孔３４Ａが形成され、インパネリインフォース１４に固定された支持部材５２が挿通されている。
【００５１】
また、図７に示されるように、兼用ダクト３４の先端部は、センターレジスタ２５の形状に合わせて形成されており、縦長レジスタ２３、２４と対向して縦長開口部８０、８２がそれぞれ設けられ、横長レジスタ２１、２２と対向して横長開口部８４が設けられている。なお、横長レジスタ２１、２２とそれぞれ対向するように横長開口部８４を２つに分けても良い。そして、例えば、縦長レジスタ２３、２４及び横長レジスタ２１、２２の前端部（車両前後方向の前端部）に兼用ダクト３４の後端部が被さるようにして接続される。
【００５２】
このため、縦長レジスタ２３、２４及び横長レジスタ２１、２２の前端部（車両前後方向の前端部）の外壁面には、図示はしないが、ウレタンテープなどのシール材が貼付されている。そして、兼用ダクト３４の内壁面が当該シール材と干渉することによって兼用ダクト３４内を流れる空気の漏れが防止されると共に、センターレジスタ２５と兼用ダクト３４とのガタ付きが抑制されるようになっている。
【００５３】
ここで、図５及び図６に示されるように、仕切板７２、７４は縦長開口部８０、８２内へそれぞれ配置可能とされており、仕切板７６は横長開口部８４内へ配置可能とされている。そして、仕切板７２、７４が縦長開口部８０、８２内へそれぞれ配置され、仕切板７６が横長開口部８４内へ配置された状態で、ウレタンシール材７８（図９（Ｂ）参照）は縦長開口部８０、８２及び横長開口部８４の内壁面（兼用ダクト３４の内壁面）と干渉するように設定されている。そして、ウレタンシール材７８が兼用ダクト３４の内壁面と干渉することによって、兼用ダクト３４内を流れる空気の漏れが防止されるようになっている。
【００５４】
また、仕切板７２、７４、７６は、シャフト７０を介して回動可能となっているが、当該仕切板７２、７４、７６の回動によって、縦長開口部８０、８２又は横長開口部８４がそれぞれ開閉可能となる。ここで、仕切板７２、７４と仕切板７６とは所定の角度を成すように設定されており、例えば、図５及び図６の実線で示されるように、ディスプレイ１２が横置きに配置されたときには、横長開口部８４は仕切板７６によって開放された状態となっている。一方、縦長開口部８０、８２は仕切板７２、７４によってそれぞれ閉止された状態となっている（なお、図５において、図面を見やすくするため、仕切板７４は実線で図示している）。
【００５５】
また、図５及び図６の仮想線で示されるように、ディスプレイ１２が縦置きに配置されたときには、横長開口部８４は仕切板７６によって閉止された状態となっており、縦長開口部８０、８２は仕切板７２、７４によってそれぞれ開放された状態となっている。          
【００５６】
そして、図３（Ａ）に示されるように、ディスプレイ１２が横置きに配置されたときには、横長レジスタ２１、２２が露出すると共に、縦長レジスタ２３、２４はディスプレイ１２によって覆われるように設定されている。また、図３（Ｂ）に示されるように、ディスプレイ１２が縦置きに配置されたときには、縦長レジスタ２３、２４が露出すると共に、横長レジスタ２１、２２はディスプレイ１２によって覆われるように設定されている。  なお、横長レジスタ２１、２２又は縦長レジスタ２３、２４がディスプレイ１２によって覆われるとは、横長レジスタ２１、２２又は縦長レジスタ２３、２４の少なくとも一部が当該ディスプレイ１２によって覆われるようになっていれば良い。
【００５７】
（インストルメントパネル構造の作用・効果）
次に、本発明の実施形態に係るインストルメントパネル構造の作用・効果について説明する。
【００５８】
図５に示されるように、本実施形態では、インストルメントパネル１０の車両幅方向の中央部には貫通孔１０Ａが形成されており、当該貫通孔１０Ａを通じて、ディスプレイシャフト５６がインストルメントパネル１０の裏側から表側へ貫通している。そして、当該ディスプレイシャフト５６の後端部には、ディスプレイ１２が取り付けられている。
【００５９】
ここで、ディスプレイシャフト５６は、軸受部材５４を介して、支持部材５２に対して回動可能に支持されているため、当該ディスプレイシャフト５６の回動によってディスプレイ１２は回動可能となっている。このため、ディスプレイ１２の回動により、当該ディスプレイ１２を横置き又は縦置きに変えることができる。
【００６０】
そして、図３（Ａ）に示されるように、ディスプレイ１２が横置きに配置されたときには、横長レジスタ２１、２２が露出し、図３（Ｂ）に示されるように、ディスプレイ１２が縦置きに配置されたときには、縦長レジスタ２３、２４が露出する。
【００６１】
一方、図７に示されるように、ディスプレイ１２を支持するディスプレイシャフト５６にはかさ歯車６０が固定されている。このかさ歯車６０と噛合するかさ歯車６４はシャフト６２に固定されており、このシャフト６２の両端部には平歯車６６が固定されている。この平歯車６６と噛合する平歯車６８はシャフト７０に固定されており、このシャフト７０に縦長の仕切板７２、７４及び横長の仕切板７６が固定されている。
【００６２】
このため、ディスプレイ１２を回動させると、この動作に連動して仕切板７２、７４、７６が回動するようになっている。そして、仕切板７２、７４によって、兼用ダクト３４に設けられた縦長開口部８０、８２が開閉し、仕切板７６によって、兼用ダクト３４に設けられた横長開口部８４が開閉する。
【００６３】
そして、ディスプレイ１２が横置きに配置されたときには、縦長開口部８０、８２が閉止されて横長開口部８４が開放され（兼用ダクト３４内の空気を横長レジスタ２１、２２側へ案内する流路が開放され）、兼用ダクト３４内の空気は、当該横長開口部８４を介して横長レジスタ２１、２２から吹き出し可能とされる。また、ディスプレイ１２が縦置きに配置されたときには、横長開口部８４が閉止されて縦長開口部８０、８２が開放され（兼用ダクト３４内の空気を縦長レジスタ２３、２４側へ案内する流路が開放され）、兼用ダクト３４内の空気は、当該縦長開口部８０、８２を介して縦長レジスタ２３、２４から吹き出し可能とされる。
【００６４】
つまり、図３（Ａ）、（Ｂ）に示されるように、ディスプレイ１２の向きにより横長レジスタ２１、２２又は縦長レジスタ２３、２４を露出させると共に、露出した横長レジスタ２１、２２又は縦長レジスタ２３、２４から兼用ダクト３４内の空気が吹き出し可能となる。したがって、本実施形態によれば、ディスプレイ１２を縦置きと横置きのいずれにも配置することができると共に、いずれの場合であっても空調性能を確保することができる。
【００６５】
また、例えば、縦長レジスタ２３、２４及び横長レジスタ２１、２２（センターレジスタ２５）が、長方形状のディスプレイ１２の回動によって当該ディスプレイ１２により覆われないようにする場合、ディスプレイ１２の移動軌跡上にセンターレジスタ２５が配置されないようにする必要がある。このため、ディスプレイ１２を中心にセンターレジスタ２５の配設領域が広くなってしまう。
【００６６】
これに対して、本実施形態では、図３（Ａ）に示されるように、ディスプレイ１２が横置きに配置されたときは、縦長レジスタ２３、２４はディスプレイ１２によって覆われるように設定されている。一方、図３（Ｂ）に示されるように、ディスプレイ１２が縦置きに配置されたときは、横長レジスタ２１、２２はディスプレイ１２によって覆われるように設定されている。つまり、ディスプレイ１２の向きに合わせて、使用されない縦長レジスタ２３、２４又は横長レジスタ２１、２２をディスプレイ１２で覆うようにすることで、ディスプレイ１２及びセンターレジスタ２５の配設領域をコンパクトにすることができる。これにより、意匠性を向上させることができる。
【００６７】
また、本実施形態では、図５及び図７に示されるように、空調装置２６には兼用ダクト３４が接続されており、当該兼用ダクト３４が縦長レジスタ２３、２４及び横長レジスタ２１、２２に接続されている。つまり、１つのダクトを兼用して、空調装置２６と縦長レジスタ２３、２４とが接続され、空調装置２６と横長レジスタ２１、２２とが接続されている。そして、この兼用ダクト３４によって、空調装置２６によって温度調整された空気が縦長レジスタ２３、２４及び横長レジスタ２１、２２へ案内されるようになっている。
【００６８】
つまり、兼用ダクト３４内の空気は、ディスプレイ１２が縦長に配設されたときには、横長レジスタ２１、２２から吹き出されることはなく、ディスプレイ１２が横長に配設されたときには、縦長レジスタ２３、２４から吹き出されることはない。このように、ディスプレイ１２の向きに合わせて使用されるレジスタを特定することで、兼用ダクト３４内の空気は、当該レジスタにおいて必要な空調性能を確保することができる。
【００６９】
また、空調装置２６と縦長レジスタ２３、２４又は横長レジスタ２１、２２とを接続するダクトを１つのダクトで兼用することで、兼用ダクト３４周りのスペースを有効に活用することができると共に、コストを低減させることができる。
【００７０】
また、本実施形態では、シャフト７０に仕切板７２、７４、７６を固定し、当該仕切板７２、７４と仕切板７６との間で角度を有するようにして配置している。これにより、シャフト７０の回動によって、縦長開口部８０、８２又は横長開口部８４を開閉させ、兼用ダクト３４内の空気が、縦長レジスタ２３、２４側又は横長レジスタ２１、２２側へ案内されるようにしている。つまり、本実施形態によれば、簡単な構成で兼用ダクト３４内の空気を縦長レジスタ２３、２４側又は横長レジスタ２１、２２側へ案内することができる。
【００７１】
（実施形態の補足）
本実施形態では、図３（Ａ）に示されるように、ディスプレイ１２が横置きに配置されたときには、縦長レジスタ２３、２４はディスプレイ１２によって覆われるように設定されている。また、図３（Ｂ）に示されるように、ディスプレイ１２が縦置きに配置されたときには、横長レジスタ２１、２２はディスプレイ１２によって覆われるように設定されている。しかし、縦長レジスタ２３、２４又は横長レジスタ２１、２２は、必ずしもディスプレイ１２によって覆われれなければらないということはない。このため、ディスプレイ１２の向きに拘わらず、縦長レジスタ２３、２４及び横長レジスタ２１、２２は露出した状態のままであっても良い。
【００７２】
また、本実施形態では、図７に示されるように、切り替え機構として、ディスプレイ１２の回動動作に連動して仕切板７２、７４、７６を兼用ダクト３４内で回動させ、兼用ダクト３４内の空気を縦長レジスタ２３、２４又は横長レジスタ２１、２２へ案内するようにしている。しかし、この切り替え機構は必ずしもディスプレイ１２の回動動作と連動させる必要はなく、手動で縦長レジスタ２３、２４又は横長レジスタ２１、２２に切り替えても良い。
【００７３】
また、切り替え機構を構成する動力伝達部材について、本実施形態では、かさ歯車６０、６４及び平歯車６６、６８などを用いて仕切板７２、７４、７６を回動させるようにしたが、ディスプレイ１２の回動動作に連動して仕切板７２、７４、７６を回動させることができれば良いため、これに限るものではない。また、兼用ダクト３４の形状によっては仕切板７２、７４及び仕切板７６の配置が異なる場合もある。
【００７４】
さらに、ここでは、円筒状の支持部材５２（図４参照）が用いられているが、当該支持部材５２は必ずしも円筒状である必要はない。例えば、支持部材５２の軸方向に沿った断面視で内周の形状は円形を成しているが、外周の形状は三角形、四角形等の多角形であっても良い。
【００７５】
また、ここでは、図３（Ａ）に示されるように、ディスプレイ１２が横長に配置されたときに、当該ディスプレイ１２の下方に露出する横長レジスタ２１、２２が設けられるようにしている。しかし、この横長レジスタ２１、２２に代えて、ディスプレイ１２が横長に配置されたときに、ディスプレイ１２の上方に露出する横長レジスタ（図示省略）を設けても良いのは勿論のことである。
【００７６】
以上、本発明の一実施形態について説明したが、本発明は、上記に限定されるものでなく、上記以外にも、その主旨を逸脱しない範囲内において種々変形して実施可能であることは勿論である。
【符号の説明】
【００７７】
１０   インストルメントパネル
１２   ディスプレイ
１４   インパネリインフォース（インストルメントパネルリインフォースメント）
２１   縦長レジスタ
２２   縦長レジスタ
２３   横長レジスタ
２４   横長レジスタ
２５   センターレジスタ（縦長レジスタ及び横長レジスタ）
２６   空調装置
３４   兼用ダクト
５２   支持部材
５６   ディスプレイシャフト
６０   かさ歯車（第１かさ歯車、動力伝達部材、切り替え機構）
６２   シャフト（第１シャフト、動力伝達部材、切り替え機構）
６４   かさ歯車（第２かさ歯車、動力伝達部材、切り替え機構）
６６   平歯車（第１平歯車、動力伝達部材、切り替え機構）
６８   平歯車（第２平歯車、動力伝達部材、切り替え機構）
７０   シャフト（第２シャフト、動力伝達部材、切り替え機構）
７２   仕切板（第１仕切板、切り替え機構）
７４   仕切板（第１仕切板、切り替え機構）
７６   仕切板（第２仕切板、切り替え機構）
【図１】
2013154722.tif 000003
【図２】
2013154722.tif 000004
【図３】
2013154722.tif 000005
【図４】
2013154722.tif 000006
【図５】
2013154722.tif 000007
【図６】
2013154722.tif 000008
【図７】
2013154722.tif 000009
【図８】
2013154722.tif 000010
【図９】
2013154722.tif 000011